(57)【要約】【課題】テープに傷やシワが発生することを防止可能なエアクリーニングダンサー装置を提供すること。【解決手段】エアクリーニングダンサー装置１は、テープ供給部２からテープ受取部３に向けて搬送される途中の粘着テープＡＴを、下方に湾曲した状態で収容して蓄積するアキュームとして機能する。エアクリーニングダンサー装置１は、粘着テープＡＴの有無を検知し、エアクリーニングダンサー装置１内に収容されて蓄積される粘着テープＡＴの量を調整する上方側テープ検知部４及び下方側テープ検知部５と、粘着テープＡＴの下面に対してイオンを供給する上流側イオナイザー６及び下流側イオナイザー７と、粘着テープＡＴの下面側の空間のエアを吸引するエア吸引部８と、を備える。【選択図】図１
2019052034.tif 000002
【特許請求の範囲】
【請求項１】
テープを繰り出すテープ供給部と、前記テープ供給部から繰り出された前記テープを受け取るテープ受取部と、の間に配置され、前記テープ供給部から前記テープ受取部に向けて搬送される途中の前記テープを、下方に湾曲した状態で収容して蓄積するアキュムレータとして機能するエアクリーニングダンサー装置であって、
前記テープの有無を検知し、前記エアクリーニングダンサー装置内に収容されて蓄積される前記テープの量を調整するテープ検知部と、
前記テープの下面に対してイオンを供給するイオナイザーと、
前記テープの下面側の空間のエアを吸引するエア吸引部と、を備える、エアクリーニングダンサー装置。
【請求項２】
前記イオナイザーとして、
相対的に前記テープの搬送方向の上流側に設けられた上流側イオナイザーと、
相対的に前記搬送方向の下流側に設けられた下流側イオナイザーと、を備え、
前記エア吸引部は、前記上流側イオナイザーよりも前記搬送方向の下流側で、且つ、前記下流側イオナイザーよりも前記搬送方向の上流側に設けられる、請求項１に記載のエアクリーニングダンサー装置。
【請求項３】
前記テープ検知部として、
相対的に上方に設けられた上方側テープ検知部と、
相対的に下方に設けられた下方側テープ検知部と、を備え、
前記テープ検知部は、前記上方側テープ検知部によって前記テープが有ると検知されると共に前記下方側テープ検知部によって前記テープが無いと検知される範囲で、前記エアクリーニングダンサー装置内に収容されて蓄積される前記テープの量を調整する、請求項１又は２に記載のエアクリーニングダンサー装置。
【発明の詳細な説明】
【技術分野】
【０００１】
本発明は、テープを搬送しながらエアでクリーニングを行うエアクリーニングダンサー装置に関する。
【背景技術】
【０００２】
従来、フィルムやセパレータを裏面に有する粘着テープ等のテープを搬送する場合、テープの裏面にゴミが付着することがあるため、ゴミ取り用のクリーニングロールを使用してゴミを除去する技術が知られている（例えば、特許文献１参照）。
【先行技術文献】
【特許文献】
【０００３】
【特許文献１】特開２０１５−２０２９３２号公報
【発明の概要】
【発明が解決しようとする課題】
【０００４】
しかしながら、クリーニングロールを使用した場合、テープにクリーニングロールが接触することで、テープに傷が発生することがあった。また、加工装置同士の間でテープを搬送する場合、加工装置同士の間に配置されるアキュムレータとして、ダンサーロールを使用することが一般的であるが、テープにダンサーロールが接触することで、テープに傷やシワが発生することもあった。
【０００５】
本発明は、上記課題に鑑みてなされたものであり、テープに傷やシワが発生することを防止可能なエアクリーニングダンサー装置を提供することを目的とする。
【課題を解決するための手段】
【０００６】
上記目的を達成するため本発明は、テープ（例えば、後述する粘着テープＡＴ）を繰り出すテープ供給部（例えば、後述するテープ供給部２）と、前記テープ供給部から繰り出された前記テープを受け取るテープ受取部（例えば、後述するテープ受取部３）と、の間に配置され、前記テープ供給部から前記テープ受取部に向けて搬送される途中の前記テープを、下方に湾曲した状態で収容して蓄積するアキュムレータとして機能するエアクリーニングダンサー装置であって、前記テープの有無を検知し、前記エアクリーニングダンサー装置内に収容されて蓄積される前記テープの量を調整するテープ検知部（例えば、後述する上方側テープ検知部４、下方側テープ検知部５）と、前記テープの下面に対してイオンを供給するイオナイザー（例えば、後述する上流側イオナイザー６、下流側イオナイザー７）と、前記テープの下面側の空間のエアを吸引するエア吸引部（例えば、後述するエア吸引部８）と、を備える、エアクリーニングダンサー装置（例えば、後述するエアクリーニングダンサー装置１）を提供する。
【０００７】
また、前記イオナイザーとして、相対的に前記テープの搬送方向（例えば、後述する搬送方向ＴＤ）の上流側に設けられた上流側イオナイザー（例えば、後述する上流側イオナイザー６）と、相対的に前記搬送方向の下流側に設けられた下流側イオナイザー（例えば、後述する下流側イオナイザー７）と、を備え、前記エア吸引部は、前記上流側イオナイザーよりも前記搬送方向の下流側で、且つ、前記下流側イオナイザーよりも前記搬送方向の上流側に設けられていてもよい。
【０００８】
また、前記テープ検知部として、相対的に上方に設けられた上方側テープ検知部（例えば、後述する上方側テープ検知部４）と、相対的に下方に設けられた下方側テープ検知部（例えば、後述する下方側テープ検知部５）と、を備え、前記テープ検知部は、前記上方側テープ検知部によって前記テープが有ると検知されると共に前記下方側テープ検知部によって前記テープが無いと検知される範囲で、前記エアクリーニングダンサー装置内に収容されて蓄積される前記テープの量を調整してもよい。
【０００９】
本発明によれば、テープに傷やシワが発生することを防止できる。
【図面の簡単な説明】
【００１０】
【図１】本発明の一実施形態に係るエアクリーニングダンサー装置を示す概略図である。
【発明を実施するための形態】
【００１１】
以下、本発明の一実施形態について、図１を参照しながら説明する。図１は、本発明の一実施形態に係るエアクリーニングダンサー装置１を示す概略図である。
【００１２】
図１に示すエアクリーニングダンサー装置１は、テープ供給部２と、テープ受取部３と、の間に配置されている。このエアクリーニングダンサー装置１は、テープ供給部２からテープ受取部３に向けて搬送される途中の粘着テープＡＴを、当該粘着テープＡＴの裏面を下方に向けた状態で且つ側面視でＵ字型に湾曲した状態で収容して蓄積すると共に、当該粘着テープＡＴに付着している塵埃等のゴミを除去する。エアクリーニングダンサー装置１内に収容されて蓄積された粘着テープＡＴは、側面視でＵ字型に湾曲した湾曲部の下端が、その蓄積量が少ないほど上方に位置し、その蓄積量が多いほど下方に位置する。
【００１３】
テープ供給部２は、フィルム又はセパレータを裏面に有する粘着テープＡＴを繰り出し、エアクリーニングダンサー装置１を経由させて、テープ受取部３に当該粘着テープＡＴを供給する。このテープ供給部２は、ロール状の粘着テープＡＴである原反ロールを備えた供給装置であってよい。また、粘着テープＡＴを生成する生成装置や、粘着テープＡＴに対して何らかの加工を施す加工装置であってもよい。
【００１４】
テープ受取部３は、テープ供給部２から繰り出され、エアクリーニングダンサー装置１を経由した粘着テープＡＴを次々に受け取る。このテープ受取部３は、粘着テープＡＴに対して何らかの加工を施す加工装置であってよい。また、粘着テープＡＴを巻き取る巻取装置であってもよい。
【００１５】
また、エアクリーニングダンサー装置１は、当該エアクリーニングダンサー装置１内に収容されて蓄積される粘着テープＡＴの量を調整するアキュムレータとして機能する。より具体的には、エアクリーニングダンサー装置１は、テープ供給部２から繰り出される粘着テープＡＴの量（繰出し速度）と、テープ受取部３が受け取る粘着テープＡＴの量（受取り速度）と、の関係を調整する。このようなエアクリーニングダンサー装置１は、上方側テープ検知部４と、下方側テープ検知部５と、上流側イオナイザー６と、下流側イオナイザー７と、エア吸引部８と、密閉室９と、筐体１０と、を備えている。
【００１６】
上方側テープ検知部４は、下方側テープ検知部５と共にテープ検知部として機能する。この上方側テープ検知部４は、下方側テープ検知部５との関係において相対的に上方に設けられ、下方側テープ検知部５との関係において相対的に上方の空間について粘着テープＡＴの有無を検知する。具体的に、上方側テープ検知部４は、上方側投光部４１と、上方側受光部４２と、を備えている。この上方側テープ検知部４は、上方側投光部４１から投じた光が上方側受光部４２で受け取れなかった場合に粘着テープＡＴが有ると検知する一方で、上方側投光部４１から投じた光が上方側受光部４２で受け取れた場合に粘着テープＡＴが無いと検知する。
【００１７】
下方側テープ検知部５は、上方側テープ検知部４と共にテープ検知部として機能する。この下方側テープ検知部５は、上方側テープ検知部４との関係において相対的に下方に設けられ、上方側テープ検知部４との関係において相対的に下方の空間について粘着テープＡＴの有無を検知する。具体的に、下方側テープ検知部５は、下方側投光部５１と、下方側受光部５２と、を備えている。この下方側テープ検知部５は、下方側投光部５１から投じた光が下方側受光部５２で受け取れなかった場合に粘着テープＡＴが有ると検知する一方で、下方側投光部５１から投じた光が下方側受光部５２で受け取れた場合に粘着テープＡＴが無いと検知する。
【００１８】
このような上方側テープ検知部４及び下方側テープ検知部５は、粘着テープＡＴの有無を検知し、エアクリーニングダンサー装置１内に収容されて蓄積される粘着テープＡＴの量を調整する。より具体的には、これら上方側テープ検知部４及び下方側テープ検知部５は、テープ供給部２から繰り出される粘着テープＡＴの量とテープ受取部３が受け取る粘着テープＡＴの量を調整するための検知信号を、テープ供給部２やテープ受取部３等に出力する。これら上方側テープ検知部４及び下方側テープ検知部５は、上方側テープ検知部４によって粘着テープＡＴが有ると検知されると共に下方側テープ検知部５によって粘着テープＡＴが無いと検知される範囲で、エアクリーニングダンサー装置１内に収容されて蓄積される粘着テープＡＴの量を調整する。
【００１９】
テープ供給部２が繰り出す粘着テープＡＴの量は、上方側テープ検知部４及び下方側テープ検知部５が出力する検知信号に基づいて決定される。テープ受取部３が受け取る粘着テープＡＴの量は、上方側テープ検知部４及び下方側テープ検知部５が出力する検知信号に基づいて決定される。
【００２０】
上流側イオナイザー６及び下流側イオナイザー７は、イオンを放出するイオナイザーとして機能し、粘着テープＡＴの裏面（下面、以下同様）に対してイオンを供給する。
【００２１】
上流側イオナイザー６は、下流側イオナイザー７との関係において相対的に粘着テープＡＴの搬送方向ＴＤの上流側に設けられ、下流側イオナイザー７との関係において相対的に搬送方向ＴＤの上流側にイオンを供給する。
【００２２】
下流側イオナイザー７は、上流側イオナイザー６との関係において相対的に搬送方向ＴＤの下流側に設けられ、上流側イオナイザー６との関係において相対的に搬送方向ＴＤの下流側にイオンを供給する。
【００２３】
エア吸引部８は、上流側イオナイザー６よりも搬送方向ＴＤの下流側で、且つ、下流側イオナイザー７よりも搬送方向ＴＤの上流側に設けられている。このエア吸引部８は、例えばファン等で構成され、粘着テープＡＴの裏面側（粘着テープＡＴの下面側、以下同様）の空間のエアを吸引する。より詳しくは、エア吸引部８は、筐体１０内に設けられた密閉室９の下部に設けられ、密閉室９内のエアを吸引する。エア吸引部８が密閉室９内における粘着テープＡＴの裏面側の空間のエアを吸引することで、粘着テープＡＴに付着してイオナイザー７で除去されたゴミが装置外に排出、回収される。また、このエア吸引部８によるエアの吸引により、エアクリーニングダンサー装置１が収容している粘着テープＡＴに対して下方への引張力が作用することで、Ｕ字型に湾曲した状態が維持される。
【００２４】
次に、図１を用いて、エアクリーニングダンサー装置１によって、粘着テープＡＴに付着したゴミを除去する流れを説明する。
【００２５】
エアクリーニングダンサー装置１が収容している粘着テープＡＴの裏面に対して、上流側イオナイザー６及び下流側イオナイザー７からイオンが供給される。粘着テープＡＴは、イオンによって除電されるので、静電気によって粘着テープＡＴに付着していた塵埃等のゴミが剥がれやすくなる。エア吸引部８が粘着テープＡＴの裏面側の空間のエアを吸引することで、粘着テープＡＴに付着していた塵埃等のゴミが剥がれ落ちて、エア吸引部８に回収される。
【００２６】
以上説明した上記実施形態によれば、以下のような効果を奏する。
エアクリーニングダンサー装置１は、フィルム又はセパレータを裏面に有する粘着テープＡＴを繰り出すテープ供給部２と、テープ供給部２から繰り出された粘着テープＡＴを受け取るテープ受取部３と、の間に配置され、テープ供給部２からテープ受取部３に向けて搬送される途中の粘着テープＡＴを、当該粘着テープＡＴの裏面を下方に向けた状態で且つ下方に湾曲した状態で収容して蓄積するアキュムレータとして機能するものであって、粘着テープＡＴの有無を検知し、エアクリーニングダンサー装置１内に収容されて蓄積される粘着テープＡＴの量を調整する上方側テープ検知部４及び下方側テープ検知部５と、粘着テープＡＴの裏面に対してイオンを供給する上流側イオナイザー６及び下流側イオナイザー７と、粘着テープＡＴの裏面側の空間のエアを吸引するエア吸引部８と、を備えている。
【００２７】
また、本実施形態では、イオナイザーとして、相対的に粘着テープＡＴの搬送方向ＴＤの上流側に設けられた上流側イオナイザー６と、相対的に搬送方向ＴＤの下流側に設けられた下流側イオナイザー７と、を備え、エア吸引部８は、上流側イオナイザー６よりも搬送方向ＴＤの下流側で、且つ、下流側イオナイザー７よりも搬送方向ＴＤの上流側に設けられている。
【００２８】
また、本実施形態では、テープ検知部として、相対的に上方に設けられた上方側テープ検知部４と、相対的に下方に設けられた下方側テープ検知部５と、を備え、上方側テープ検知部４及び下方側テープ検知部５は、上方側テープ検知部４によって粘着テープＡＴが有ると検知されると共に下方側テープ検知部５によって粘着テープＡＴが無いと検知される範囲で、エアクリーニングダンサー装置１内に収容されて蓄積される粘着テープＡＴの量を調整する。
これにより、粘着テープＡＴに接触することなく、粘着テープＡＴに付着していた塵埃等のゴミを除去することができる。このため、粘着テープＡＴに傷やシワが発生することを防止できる。
【００２９】
以上、本発明のエアクリーニングダンサー装置１の好ましい実施形態について説明したが、本発明は、上述した実施形態に制限されるものではなく、適宜変更が可能である。
例えば、上記実施形態では、上方側テープ検知部４及び下方側テープ検知部５は、透過型のセンサである場合を例に説明したが、本発明はこれに限定されず、反射型のセンサや回帰反射型のセンサ等、種々のセンサを用いることができる。
また、上記実施形態では、テープとしてフィルム又はセパレータを裏面に有する粘着テープＡＴを用いたが、本発明はこれに限定されず、フィルム等を用いることができる。
【符号の説明】
【００３０】
１  エアクリーニングダンサー装置
２  テープ供給部
３  テープ受取部
４  上方側テープ検知部（テープ検知部）
４１  上方側投光部
４２  上方側受光部
５  下方側テープ検知部（テープ検知部）
５１  下方側投光部
５２  下方側受光部
６  上流側イオナイザー（イオナイザー）
７  下流側イオナイザー（イオナイザー）
８  エア吸引部
９  密閉室
１０  筐体
ＡＴ  粘着テープ（テープ）
ＴＤ  搬送方向
【図１】
2019052034.tif 000003